(57)【要約】【課題】電話回線ケーブルまたはファクシミリ通信装置の誤動作によって、ユーザが入力した電話番号または予め登録された電話番号と、実際に送出された電話番号とが異なる場合、誤送信を防ぐことができるファクシミリ装置を提供することを目的とする。【解決手段】電話回線に接続するファクシミリ通信装置において、ＯＦＦ−ＨＯＯＫを検出するＯＦＦ−ＨＯＯＫ検出手段と、上記ファクシミリ通信装置から送出されたダイヤルパルス信号を検出するダイヤルパルス信号検出手段と、上記ダイヤルパルス信号検出手段が検出したダイヤルパルス信号を解析するダイヤルパルス解析手段と、上記ダイヤルパルス解析手段が解析した結果と、本来送出されるべきダイヤルパルス信号とを比較する比較手段とを有するファクシミリ通信装置である。【選択図】図１
2010136026.tif 000002
【特許請求の範囲】
【請求項１】
電話回線に接続するファクシミリ通信装置において、
ＯＦＦ−ＨＯＯＫを検出するＯＦＦ−ＨＯＯＫ検出手段と；
上記ファクシミリ通信装置から送出されたダイヤルパルス信号を検出するダイヤルパルス信号検出手段と；
上記ダイヤルパルス信号検出手段が検出したダイヤルパルス信号を解析するダイヤルパルス解析手段と；
上記ダイヤルパルス解析手段が解析した結果と、本来送出されるべきダイヤルパルス信号とを比較する比較手段と；
を有することを特徴とするファクシミリ通信装置。
【請求項２】
電話回線に接続するファクシミリ通信装置において、
付属電話機がＯＦＦ−ＨＯＯＫした場合、相手機器から回線を通して送られたトーン信号を検出するトーン信号検出手段と；
上記ファクシミリ通信装置が送出したＤＴＭＦ信号を検出するＤＴＭＦ信号検出手段と；
上記ＤＴＭＦ信号検出手段が検出したＤＴＭＦ信号の成分を解析するＤＴＭＦ信号解析手段と；
上記ＤＴＭＦ信号解析手段が解析した信号と本来送出されるべきＤＴＭＦ信号とを比較する比較手段と；
を有することを特徴とするファクシミリ通信装置。
【請求項３】
請求項１において、
送信動作を行なうための１０Ｋｅｙが上記ファクシミリ通信装置の操作部に設けられ、
上記比較手段は、上記ダイヤルパルス解析手段が解析した結果とユーザが入力した電話番号とを比較する比較手段であり、
上記ダイヤルパルス解析手段が解析した結果とユーザが入力した電話番号とが異なることを、上記比較手段が判断した場合に、送信動作を停止する送信停止手段を有することを特徴とするファクシミリ通信装置。
【請求項４】
請求項２において、
送信動作を行なうための１０Ｋｅｙが上記ファクシミリ通信装置の操作部に設けられ、
上記比較手段は、上記ＤＴＭＦ信号解析手段が解析した信号とユーザが入力した電話番号とを比較する比較手段であり、
上記ＤＴＭＦ信号解析手段が解析した結果とユーザが入力した電話番号とが異なることを、上記比較手段が判断した場合に、送信動作を停止する送信停止手段を有することを特徴とするファクシミリ通信装置。
【請求項５】
請求項１において、
送信動作を行なうための１０Ｋｅｙが上記ファクシミリ通信装置の操作部に設けられ、
上記比較手段は、上記ダイヤルパルス解析手段が解析した結果と予め登録された通信相手先電話番号とを比較する比較手段であり、
上記ダイヤルパルス解析手段が解析した結果と予め登録された通信相手先電話番号とが異なることを、上記比較手段が判断した場合に、送信動作を停止する送信停止手段を有することを特徴とするファクシミリ通信装置。
【請求項６】
請求項２において、
送信動作を行なうための１０Ｋｅｙが上記ファクシミリ通信装置の操作部に設けられ、
上記比較手段は、上記ＤＴＭＦ信号解析手段が解析した信号と予め登録された通信相手先電話番号とを比較する比較手段であり、
上記ＤＴＭＦ信号解析手段が解析した結果と登録された通信相手先電話番号とが異なることを、上記比較手段が判断した場合に、送信動作を停止する送信停止手段を有することを特徴とするファクシミリ通信装置。
【請求項７】
請求項３〜請求項６のいずれか１項において、
送信動作を停止した場合に、送信動作を停止したことを、可視的に知らせる手段または可聴的に知らせる手段を有することを特徴とするファクシミリ通信装置。
【請求項８】
電話回線に接続するファクシミリ通信装置の制御方法において、
ＯＦＦ−ＨＯＯＫを検出するＯＦＦ−ＨＯＯＫ検出工程と；
上記ファクシミリ通信装置から送出されたダイヤルパルス信号を検出するダイヤルパルス信号検出工程と；
上記ダイヤルパルス信号検出工程で検出されたダイヤルパルス信号を解析するダイヤルパルス解析工程と；
上記ダイヤルパルス解析工程で解析された結果と、本来送出されるべきダイヤルパルス信号とを比較する比較工程と；
を有することを特徴とするファクシミリ通信装置の制御方法。
【発明の詳細な説明】
【技術分野】
【０００１】
本発明は、電話回線に送出される相手先電話番号（相手先選択信号）を、ファクシミリ通信機自体が検出し、確認し、ユーザが入力した電話番号と一致するか否かを識別する機能を有するファクシミリ通信装置に関する。
【背景技術】
【０００２】
従来、ファクシミリ通信装置を用いてファクシミリ通信を行なう場合、ユーザが通信相手先の電話番号を、操作部の１０Ｋｅｙ等を押下し、直接入力する。または、予め通信相手先電話番号を登録し、この登録されている電話番号に対応するＫｅｙを押下することによって、その登録内容のダイヤル発呼動作を行なう。
【０００３】
通信相手先の電話番号は、ユーザが１０Ｋｅｙを押下したときに、表示部に表示される番号または登録Ｋｅｙの押下時に表示部に表示される番号を確認することによって、正誤を判断する。
【０００４】
これ以外は、ファクシミリ通信装置が通知する通信管理報告または通品結果報告を確認することによって、相手先に送信できたか否かを確認する（たとえば、特許文献１参照）。
【特許文献１】特開平９−８４１１２公報
【発明の開示】
【発明が解決しようとする課題】
【０００５】
上記のように、ユーザは、相手先電話番号入力誤りについては、表示部に表示されている電話番号を確認することによって判断している。
【０００６】
また、送信動作が正常に終了しない場合、ファクシミリ通信装置が通知する通信管理または通信結果報告印字によって、相手の電話番号についての正誤を確認する。
【０００７】
このために、ファクシミリ通信装置の回路動作の誤動作による誤ダイヤルが発生した場合や、接続する電話回線ケーブルの誤動作による誤ダイヤルが発生した場合には、誤ダイヤルによって発呼動作を行なう。つまり、上記の場合、ファクシミリ通信装置自体が認識手段を持っていないので、誤ダイヤルによって発呼動作を行なう。
【０００８】
ところで、昨今、ファクシミリ通信装置の普及が進み、一般家庭でもかなり普及率が上がっている。ファクシミリ通信装置自身の誤動作、または装置に接続した電話回線ケーブルの誤動作によって、誤ダイヤルの相手先に接続され、通信する場合があり、この場合、送信動作は、見かけ上、正常である。
【０００９】
特に、ファクシミリ通信装置において、設置環境の関係上、電話回線ケーブルの配線（引き回し）を、壁と机との間、また、床とカーペットとの間に配線することが多く、電話回線ケーブルに思わぬストレスがかかる。このストレスのために、ケーブルの信頼性が著しく損なわれ、ケーブルにおける非接触や短絡が発生することがある。
【００１０】
この電話回線ケーブルへのストレスが原因で、ファクシミリ通信装置から送出された相手先の電話番号の信号が、欠落、変形することによって、誤ダイヤル発呼動作になることがある。
【００１１】
誤ダイヤル発生によって、本来通信すべき相手ではなく、別の通信相手に通信し、呼（着信）が成立した後に、そのまま通信動作を続ける場合がある。
【００１２】
発信元のファクシミリ通信装置としては、相手側に正常に送信終了したと判断し、通信管理または通信結果通知として、正常終了を表示し、または印字する。
【００１３】
また、ファクシミリ装置自身の回路動作の誤動作で誤ダイヤルを発生した場合も、通信動作に関しては、上記の電話回線ケーブルの場合と同等な結果となることがある。
【００１４】
しかし、特に最近では、個人情報の取り扱いが法律で規制されているので、誤ダイヤルによる誤送信は、社会問題となる要因を含む。
【００１５】
本発明は、電話回線ケーブルまたはファクシミリ通信装置の誤動作によって、ユーザが入力した電話番号または予め登録された電話番号と、実際に送出された電話番号とが異なる場合、誤送信を防ぐことができるファクシミリ装置を提供することを目的とする。
【課題を解決するための手段】
【００１６】
本発明は、電話回線に接続するファクシミリ通信装置において、ＯＦＦ−ＨＯＯＫを検出するＯＦＦ−ＨＯＯＫ検出手段と、上記ファクシミリ通信装置から送出されたダイヤルパルス信号を検出するダイヤルパルス信号検出手段と、上記ダイヤルパルス信号検出手段が検出したダイヤルパルス信号を解析するダイヤルパルス解析手段と、上記ダイヤルパルス解析手段が解析した結果と、本来送出されるべきダイヤルパルス信号とを比較する比較手段とを有するファクシミリ通信装置である。
【発明の効果】
【００１７】
本発明によれば、電話回線ケーブルまたはファクシミリ通信装置の誤動作によって、ユーザが入力した電話番号または予め登録された電話番号と、実際に送出された電話番号とが異なる場合、誤送信を防ぐことができるという効果を奏する。
【発明を実施するための最良の形態】
【００１８】
発明を実施するための最良の形態は、次の実施例である。
【実施例１】
【００１９】
図１は、本発明の実施例１であるファクシミリ通信装置１００の構成を示すブロック図である。
【００２０】
ＣＰＵ１は、ＲＯＭ３に格納されている制御プログラムに従って、ファクシミリ通信装置１００の全体を制御する。
【００２１】
ＲＡＭ７は、ＣＰＵ１のワークエリアとして使用され、また、各種データを格納する。
【００２２】
不揮発性ＲＡＭ１０は、操作部１１を介して入力された各種データを格納し、電源部１８がＯＦＦしても、格納されているデータを記憶保持する。
【００２３】
電話回線４は、公衆回線等であり、回線接続端子５によって、ファクシミリ通信装置１００と接続される。
【００２４】
ＮＣＵ部６は、網制御を行ない、電話回線４とモデム部２との間でデータ送受信を制御し、電話回線４から伝播した呼び出し信号（ＣＩ信号）を検出し、オフフック検出を含む通信状態及び通話状態を検出する。また、ＮＣＵ部６は、ダイヤルパルスを発呼し、ダイヤルパルス信号を検出し、ＤＴＭＦ信号（トーン信号）を検出する。
【００２５】
モデム部２は、電話回線４を伝播した受信データや、電話回線４に送出する送信データを変調し、復調し、また、ＤＴＭＦ信号を送出し、電話回線４からのＤＴＭＦ信号等を検出する。
【００２６】
ファクシミリ通信装置１００に、外付け電話接続端子９を介して、市販されている電話機８が接続されている。
【００２７】
操作部１１は、１０Ｋｅｙ（テンキー）やファンクションＫｅｙを配列し、ユーザが各種入力動作を行なう場合に使用する。
【００２８】
画像処理部１２は、読取部１５が読み取った原稿の画像を処理し、通信相手が送信した画像信号をモデム部２が復調した画像データを処理する。
【００２９】
表示部１３は、表示器を有する。表示制御部１４は、Ｃ．Ｇ（キヤラクタジェネレータ）部１６を制御し、表示部１３に文字や絵を表示させる。
【００３０】
読取部１５は、原稿から画像を読み取り、記録部１７は、受信画像を印字し、読取部１５が読み取った画像を印字する。
【００３１】
図２は、ファクシミリ通信装置１００に設けられているＮＣＵ部６の詳細を示す図である。
【００３２】
電話回線４は、回線接続端子５を、ファクシミリ通信装置１００に接続される。オフフック検出回路のフォトカプラ２２は、交流信号通過用コンデンサ２１と並列に電話回線４に接続されている。フォトカプラ２２のフォトトランジスタのコレクタ端子は、抵抗２０を介して、Ｖｃｃ１９に接続される。
【００３３】
直流阻止用コンデンサ２３と直列に、回線信号抽出用トランス２４が接続されている。切り換えリレー２５は、電話回線４を、直流捕捉回路２８、直流阻止用コンデンサ２９、通信用トランス３０、２線−４線変換回路３１、ダイヤルパルス用リレー３２側と、呼び出し信号検出部２６、外付け電話接続端子９側とを切り換える。
【００３４】
呼び出し信号検出部２６は、直流阻止用コンデンサ２７を介して、外付け電話接続端子９に接続される。直流捕捉回路２８は、電話回線４に直接接続され、２線−４線変換回路３１は、直流阻止用コンデンサ２９、通信用トランス３０を介して、電話回線４に接続される。
【００３５】
次に、実施例１の動作について説明する。
【００３６】
まず、ファクシミリ通信装置１００が、ダイヤルパルスを発呼し、通信（送信）する場合について説明する。
【００３７】
読取部１５に送信用原稿を準備し、ユーザが操作部１１を操作する。１０Ｋｅｙ（テンキー）を介して、相手先の電話番号を入力するか、または予め登録されている登録Ｋｅｙを押下する。
【００３８】
電話回線４を捕捉するために、切り換えリレー２５が直流捕捉回路２８側に切り換わる。すると、直流捕捉回路２８によって電話回線４が捕捉され、フォトカプラ２２のフォトトランジスタがＯＮ状態になり、ＣＰＵ１への出力がＬｏｗ信号になり、電話回線４の先にある回線交換機が回線捕捉を認識する。
【００３９】
次に、ダイヤルパルス用リレー３２が、ユーザが入力した電話番号に応じて、開閉（ＯＮ−ＯＦＦ）を繰り返す。ダイヤルパルス用リレー３２は、ＣＰＵ１によって開閉動作を制御される。このダイヤルパルス用リレー３２の開閉による直流電位の変動は、電話回線４に送出され、同時に、フォトカプラ２２のフォトダイオードが、上記電流電位の変動を検出し、フォトトランジスタのＬｏｗ−Ｈｉｇｈ出力信号として、ＣＰＵ１へ送られる。
【００４０】
フォトカプラ２２が検出した信号の内容（ダイヤルパルス信号の内容）と、ユーザが操作部１１を介して入力した電話番号の内容とを、ＣＰＵ１が解析し、相違があるか否かを判定する。相違が無いと判定されれば、送信動作を引き続き行なうように制御する。一方、相違があると判定されれば（ユーザの入力データとフォトカプラ２２の検出データとに差異があれば）、ＣＰＵ１は、直ちに送信動作を中止する。具体的には、切り換えリレー２５を、呼び出し信号検出部２６側に切り換え、電話回線４を開放する。
【００４１】
これと同時に、表示部１３が、通信（送信）動作を中止した旨の表示を、表示器にさせ、可聴的動作によって通信動作中止を知らせる。つまり、電話回線４へ送出した電話番号が間違っている旨を、表示部１３の表示器に表示する。すなわち、通信動作中止の内容が表示され、上記電話回線４へ送出した電話番号が、ユーザが入力した番号、または予め登録されている番号とは異なる理由や、推定原因を、表示器が表示する。
【００４２】
表示部１３による一連の表示動作によって、ユーザは、ファクシミリ通信装置１００の動作チェックまたは、回線接続端子５に接続されている電話回線ケーブルの点検を行なうことを促される。
【００４３】
次に、ファクシミリ通信装置１００がＤＴＭＦ信号（トーン信号）発呼を行ない、通信（送信）する場合について説明する。
【００４４】
ダイヤルパルスでの動作と同様に、読取部１５に送信用原稿を準備し、ユーザが操作部１１を操作する。
【００４５】
１０Ｋｅｙ（テンキー）を用いて、相手先の電話番号を入力するか、または予め登録されている登録Ｋｅｙを押下する。電話回線４を捕捉するために、切り換えリレー２５が、直流捕捉回路２８側に切り換わる。すると、直流捕捉回路２８が電話回線４を捕捉し、電話回線元の交換機が回線捕捉を認識する。
【００４６】
電話番号に対応するＤＴＭＦ信号が、モデム部２で出力され、２線−４線変換回路３１を通り、通信用トランス３０を経由し、電話回線４に送出される。このときに、ＤＴＭＦ信号は、直流阻止用コンデンサ２３を通り、回線信号抽出用トランス２４を経由し、モデム部２に入力される。このモデム部２に入力されたＤＴＭＦ信号を、ユーザが操作部１１を介して入力された電話番号の内容と相違があるか否かを、モデム部２を介して、ＣＰＵ１が判定する。
【００４７】
相違が無いと、ＣＰＵ１が判定すると、送信動作を引き続き行なうように制御する。相違がある（ユーザの入力データとモデム部２の検出データとで差異がある）と、ＣＰＵ１が判定すると、ＣＰＵ１は、送信動作を直ちに中止する。この後に、ファクシミリ通信装置１００は、ダイヤルパルス発呼の場合と同様に動作する。
【００４８】
ユーザは、ファクシミリ通信装置１００の動作チェックまたは、回線接続端子５に接続されている電話回線ケーブルの点検を行なう。
【００４９】
図３は、ファクシミリ通信装置１００を使用して、ユーザが送信動作を行なう場合における動作を示すフローチャートである。
【００５０】
操作部１１の１０ＫＥＹを押下するか、または送信相手の電話番号が予め登録されている登録ＫＥＹを押下する（Ｓ３３）。ダイヤルパルス信号が送出されると、ＮＣＵ部６のオフフック検出回路が検出し、ＤＴＭＦ信号で送出された場合、回線信号抽出用トランスが検出する判断動作を示す（Ｓ３４）。
【００５１】
ダイヤルパルス信号が送出されると、オフフック検出回路（フォトカプラ２２）が検出し、ＣＰＵ１が信号内容を解析する（Ｓ３５）。
【００５２】
ＤＴＭＦ信号が送出されると、回線信号抽出用トランス２４が検出した信号を、モデム部２に入力し、信号内容を解析する（Ｓ３６）。操作部１１で入力された電話番号と同一であるか否かを、ＣＰＵ１が判別する（Ｓ３７）。同一であると判断すると、送信動作を続行する（Ｓ３９、Ｓ４０、Ｓ４２）。
【００５３】
ユーザが入力した電話番号と異なると判断すると、送信動作を停止する（Ｓ３８）。送信動作を停止した場合、可聴的に警告音を発するか、可視的に警告表示を行なうので、その動作が行なわれたかどうかを判定する（Ｓ４１）。
【００５４】
警告音と警告表示とを行なった後に、通信装置がスタンバイ状態へ戻るので、スタンバイ状態に戻ったか否かを判断する（Ｓ４４）。スタンバイ状態に戻ったことが確認されると、動作を終了する（Ｓ４５）ので、電話番号が正確に出力されないために送信動作が不成立という状態で終了する。
【００５５】
送信動作を続行した場合、送信動作が終了したか否かを判断する（Ｓ４３）。送信動作が終了すると、通信動作が終了し（Ｓ４５）、一連の動作が正常終了する。
【実施例２】
【００５６】
図４は、本発明の実施例２であるファクシミリ通信装置２００を示すブロック図である。
【００５７】
ファクシミリ通信装置２００は、最近使用され始めた半導体による回線制御による実施例である。ファクシミリ通信装置２００において、半導体ＮＣＵ部４９は、ＯＦＦ−ＨＯＯＫ検出部５１と、電話回線捕捉部５２と、２線−４線変換部５３と、通信及び通話信号送信・受信部５４と、Ａ／Ｄ及びＤ／Ａ変換部５５と、制御部５６とを有する。
【００５８】
ＯＦＦ−ＨＯＯＫ検出部５１は、着信を検出し、ダイヤルパルス信号検出手段を兼ね、ダイヤルパルス信号解析手段も具備する。ユーザが入力した電話番号情報または予め登録されていた電話番号と、電話回線４に送出されたダイヤルパルス信号とを比較する比較手段を備える。
【００５９】
ファクシミリ通信装置２００は、ＤＩＢ５７と、モデム部２ａと、ＣＰＵ１ａと、操作部１１ａとを有する。
【００６０】
また、トーン信号検出部５０は、ＤＴＭＦ信号検出手段と、ＤＴＭＦ信号解析手段と、比較手段とを備える。この比較手段は、ユーザが入力した電話番号情報または予め登録された電話番号と、電話回線４に送出されたＤＴＭＦ信号とを比較する手段である。これによって、実施例１と同等の効果を奏する。
【００６１】
すなわち、ファクシミリ通信装置２００を接続する電話回線４またはファクシミリ通信装置２００の回路動作の誤動作によって、ユーザが入力した電話番号または予め登録されていた電話番号と、実際に送出された電話番号の内容が異なれば、送信動作を停止する。これによって、誤送信を未然に防ぐことができる。
【００６２】
上記実施例において、ＯＦＦ−ＨＯＯＫ検出部５１は、ＯＦＦ−ＨＯＯＫを検出するＯＦＦ−ＨＯＯＫ検出手段の例である。ＮＣＵ部６、半導体ＮＣＵ部４９は、上記ファクシミリ通信装置から送出されたダイヤルパルス信号を検出するダイヤルパルス信号検出手段の例である。
【００６３】
ＣＰＵ１、１ａは、ダイヤルパルス信号検出手段が検出したダイヤルパルス信号を解析するダイヤルパルス解析手段の例であり、上記ダイヤルパルス解析手段が解析した結果と、本来送出されるべきダイヤルパルス信号とを比較する比較手段の例である。
【００６４】
トーン信号検出部５０は、付属電話機がＯＦＦ−ＨＯＯＫした場合、相手機器から回線を通して送られたトーン信号を検出するトーン信号検出手段の例である。ＣＰＵ１、１ａは、上記ファクシミリ通信装置が送出したＤＴＭＦ信号を検出するＤＴＭＦ信号検出手段の例であり、上記ＤＴＭＦ信号検出手段が検出したＤＴＭＦ信号の成分を解析するＤＴＭＦ信号解析手段の例である。ＣＰＵ１、１ａは、上記ＤＴＭＦ信号解析手段が解析した信号と本来送出されるべきＤＴＭＦ信号とを比較する比較手段の例である。
【００６５】
操作部１１、１１ａには、送信動作を行なうための１０Ｋｅｙが設けられ、上記比較手段は、上記ダイヤルパルス解析手段が解析した結果とユーザが入力した電話番号とを比較する手段である。ＣＰＵ１、１ａは、上記ダイヤルパルス解析手段が解析した結果とユーザが入力した電話番号とが異なることを、上記比較手段が判断した場合に、送信動作を停止する送信停止手段の例である。
【００６６】
また、上記比較手段は、上記ＤＴＭＦ信号解析手段が解析した信号とユーザが入力した電話番号とを比較する手段である。ＣＰＵ１、１ａは、上記ＤＴＭＦ信号解析手段が解析した結果とユーザが入力した電話番号とが異なることを、上記比較手段が判断した場合に、送信動作を停止する送信停止手段の例である。
【００６７】
上記比較手段は、上記ダイヤルパルス解析手段が解析した結果と予め登録された通信相手先電話番号とを比較する手段である。ＣＰＵ１、１ａは、上記ダイヤルパルス解析手段が解析した結果と予め登録された通信相手先電話番号とが異なることを、上記比較手段が判断した場合に、送信動作を停止する送信停止手段の例である。
【００６８】
上記比較手段は、上記ＤＴＭＦ信号解析手段が解析した信号と予め登録された通信相手先電話番号とを比較する手段である。ＣＰＵ１、１ａは、上記ＤＴＭＦ信号解析手段が解析した結果と登録された通信相手先電話番号とが異なることを、上記比較手段が判断した場合に、送信動作を停止する送信停止手段の例である。
【００６９】
なお、上記実施例において、送信動作を停止した場合に、送信動作を停止したことを、可視的に知らせる手段または可聴的に知らせる手段が設けられている。このように、警告音、警告表示を発することによって、ユーザにファクシミリ通信装置の動作不良または電話回線ケーブルの誤動作を認識させることができ、誤動作究明の迅速化を促すことができる。
【００７０】
また、上記実施例において、上記手段を工程に変更すれば、上記実施例を、ファクシミリ通信装置の制御方法として把握することができる。
【図面の簡単な説明】
【００７１】
【図１】本発明の実施例１であるファクシミリ通信装置１００の構成を示すブロック図である。
【図２】ファクシミリ通信装置１００に設けられているＮＣＵ部６の詳細を示す図である。
【図３】ファクシミリ通信装置１００を使用して、ユーザが送信動作を行なう場合における動作を示すフローチャートである。
【図４】本発明の実施例２であるファクシミリ通信装置２００を示すブロック図である。
【符号の説明】
【００７２】
１００…ファクシミリ通信装置、
１…ＣＰＵ、
２…モデム部、
３…ＲＯＭ、
４…電話回線、
５…回線接続端子、
６…ＮＣＵ部、
７…ＲＡＭ、
８…電話機、
９…外付け電話接続端子、
１０…不揮発性ＲＡＭ、
１１…操作部、
１２…画像処理部、
１３…表示部、
１４…表示制御部、
１５…読取部、
１６…キヤラクタジェネレータ部、
１７…記録部、
１８…電源部、
１９…Ｖｃｃ、
２０…抵抗、
２１…交流信号通過用コンデンサ、
２２…フォトカプラ、
２３…直流阻止用コンデンサ、
２４…回線信号抽出用トランス、
２５…切り換えリレー、
２６…呼び出し信号検出部、
２７…直流阻止用コンデンサ、
２８…直流捕捉回路、
２９…直流阻止用コンデンサ、
３０…通信用トランス、
３１…２線−４線変換回路、
３２…ダイヤルパルス用リレー、
２００…ファクシミリ通信装置、
４９…半導体ＮＣＵ部、
５０…トーン信号検出部、
５１…ＯＦＦ−ＨＯＯＫ検出部
５２…電話回線捕捉部、
５３…２線−４線変換部、
５４…通信及び通話信号送信・受信部、
５５…Ａ／Ｄ及びＤ／Ａ変換部、
５６…制御部、
５７…ＤＩＢ、
２ａ…モデム、
１ａ…ＣＰＵ、
１１ａ…操作部。
【図１】
2010136026.tif 000003
【図２】
2010136026.tif 000004
【図３】
2010136026.tif 000005
【図４】
2010136026.tif 000006